【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
媒体を処理する処理部と、
ホストコンピューターから送信されたコマンドを受信する第１接続部と、
前記コマンドを送信する第２接続部と、
前記コマンドを前記処理部により実行させる第１モード、もしくは前記コマンドを前記第２接続部により前記外部の処理装置に送信させる第２モードを前記コマンドに基づいて切り換える制御部と、
を備えることを特徴とする媒体処理装置。
【請求項２】
前記コマンドを、前記処理部で実行される第１実行コマンドまたは前記外部の処理装置で実行される第２実行コマンドに変換する変換部を備えることを特徴とする請求項１に記載の媒体処理装置。
【請求項３】
決済情報及びコマンドを送信するＰＯＳ端末と、
前記ＰＯＳ端末から送信された決済情報及びコマンドを受信する第１接続部、レシートを印刷する第１印刷部、前記コマンドを前記第１印刷部に実行させて前記決済情報をレシートに印刷する第１モードもしくは前記第１接続部により受信された前記決済情報を送信する第２モードを実行させる制御部を有する第１印刷装置と、
前記第１印刷装置の前記第２接続部に接続されて前記決済情報を受信する受信部、及び前記受信部で受信された前記決済情報をレシートに印刷する第２印刷部を有する第２印刷装置と、
を備えたことを特徴とするＰＯＳシステム。
【請求項４】
前記第１印刷装置の前記制御部は、前記コマンドが予め設定されたコマンドである場合に、前記コマンドを前記第２接続部で前記第２印刷装置に送信させることを特徴とする請求項３に記載のＰＯＳシステム。
【請求項５】
前記第１印刷装置は、
前記コマンドを、前記第１印刷部で実行される第１実行コマンドまたは前記第２印刷装置で実行される第２実行コマンドに変換する変換部を有することを特徴とする請求項３に記載のＰＯＳシステム。
【請求項６】
前記第１印刷装置の前記制御部が、前記第１モードを実行させたとき、
前記第１印刷部が、前記第１接続部で受信された前記第１実行コマンドに基づいて前記決済情報をレシートに印刷し、
前記第２接続部は、前記決済情報を前記第２印刷装置に送信しないことを特徴とする請求項５に記載のＰＯＳシステム。
【請求項７】
前記第１印刷装置の前記制御部が、前記第２モードを実行させたとき、
前記変換部が、前記コマンドを前記第２実行コマンドに変換し、
前記第２接続部は、前記第２実行コマンドを前記第２印刷装置に送信し、
前記第２印刷装置は、前記受信部で前記第２実行コマンドを受信し、
前記第２印刷部で前記決済情報を前記第２実行コマンドに基づいてレシートに印刷することを特徴とする請求項５に記載のＰＯＳシステム。
【手続補正２】
【補正対象書類名】明細書
【補正対象項目名】００２１
【補正方法】変更
【補正の内容】
【００２１】
図２は、ＰＯＳシステム２の機能ブロック図であり、プリンター３００の構成を特に詳細に示している。
この図２に示すように、プリンター３００は、プリンター３００の各部を制御するＣＰＵ等が実装された本体基板３０１と、本体基板３０１とは別に設けられたインターフェイス基板３０３とを有する。インターフェイス基板３０３は、例えば、接離可能なバスライン（図示略）を介して本体基板３０１に接続されていて、プリンター３００の本体から着脱可能であってもよい。インターフェイス基板３０３には、第１インターフェイス３１０及び第２インターフェイス３１５が実装され、本体基板３０１には制御部３５０が実装されている。また、本体基板３０１は、プリンター３００の本体に設けられたロール紙印刷部３３０、切換スイッチ３８０、及び操作パネル３７０の各部に接続されている。
【手続補正３】
【補正対象書類名】明細書
【補正対象項目名】００３０
【補正方法】変更
【補正の内容】
【００３０】
また、データ解析部３５５は、第１インターフェイス３１０が受信した印刷データ中にテキストコマンドを検出した場合、テキストコマンドを削除して、新たに印刷データを生成する。これにより、レシートに意味の無い文字列が印刷されないようにすることができる。データ解析部３５５は、第１及び第２モードのいずれにおいても、印刷データからテキストコマンドを除去する。
【手続補正４】
【補正対象書類名】明細書
【補正対象項目名】００４０
【補正方法】変更
【補正の内容】
【００４０】
また、プリンター３００は、第１インターフェイス３１０で受信されたコマンドを、ロール紙印刷部３３０で実行される第１実行コマンドまたはプリンター２００で実行される第２実行コマンドに変換する変換部３５７を有するので、プリンター２００，３００が、異なるコマンドを使用するＰＯＳ端末２０に接続された場合であっても、ＰＯＳ端末２０のコマンドを改変することなく、プリンター２００、３００を適切に動作させることができる。
【手続補正５】
【補正対象書類名】明細書
【補正対象項目名】００４２
【補正方法】変更
【補正の内容】
【００４２】
また、プリンター３００の制御部３５０が、第２モードに切り換えたとき、変換部３５７が、第１インターフェイス３１０で受信されたコマンドを第２実行コマンドに変換し、第２インターフェイス３１５は、決済情報及び第２実行コマンドをプリンター２００に送信し、プリンター２００は、受信部で決済情報及び第２実行コマンドを受信し、ロール紙印刷部２２０で決済情報をレシートに印刷する。このため、プリンター２００が、異なるコマンドを使用するＰＯＳ端末２０に接続された場合であっても、ＰＯＳ端末２０のコマンドを改変することなく、プリンター２００を適切に動作させることができる。
【手続補正６】
【補正対象書類名】明細書
【補正対象項目名】００４４
【補正方法】変更
【補正の内容】
【００４４】
また、上記実施形態では、媒体を処理する媒体処理装置、及び、外部の処理装置の例として、ロール紙に印刷を行うプリンター２００、３００を備えた構成を例に挙げて説明したが、本発明はこれに限定されない。例えば、媒体は紙に限定されず合成樹脂製のシートを用いることも可能であり、媒体の表面に加工が施されていてもよい。媒体は所定サイズにカットされたカットシートであってもよいし、スプロケット紙などの連続シートであってもよい。また、例えば、媒体として複写紙を用いる構成としてもよい。さらに、ロール紙印刷部３３０、２２０は、感熱紙に熱を与えて印刷を行うサーマルプリンターに限定さ
れず、インクジェット式、ドットインパクト式等の各種の記録方式を採用できる。また、上述した実施形態では、２台のプリンター２００、３００を備えたＰＯＳシステム２について説明したが、いずれか一方または両方の装置を、磁気読取機能、帳票印刷機能、小切手等の媒体を光学的に読み取るスキャナー機能、或いはＩＣカード等により認証を行う機能を備えた複合機として構成してもよい。
また、上記実施形態においては、ホストコンピューターの一例としてＰＯＳ端末２０を挙げて説明したが、本発明はこれに限定されない。ホストコンピューターとしては、プリンター３００等の媒体処理装置に対してコマンドとテキストデータとを送信する機能を備えたものであればよく、一般的なパーソナルコンピューターや、メインフレームコンピューター、サーバー等のコンピューター機器、或いは、携帯型デバイスを用いることができる。さらに、ホストコンピューターの用途はＰＯＳとしての会計処理に限定されず、文書作成処理、画像編集処理等の一般的な用途、或いは、特定の用途に用いられるコンピューターを含むシステムにも本発明を適用できる。
図１及び図２に示す各機能ブロックは、ハードウェアとソフトウェアの協働により任意に実現可能であり、特定のハードウェア構成を示唆するものではない。
また、例えば、プリンター３００の制御部３５０が、外部接続される記憶媒体に記憶させたプログラムを実行することにより、制御部３５０の各種機能を実現する構成とすることも可能である。その他の細部構成についても、任意に変更可能であることは勿論である。